(57)【要約】  ユニバーサル移動電話システム（ＵＭＴＳ）受信機が、軟判定技術に従って、フレーム同期化を行う。実施例として、ＵＭＴＳ受信機は、先ず、少なくとも１つの受信フレームから相関ピーク値のマトリクスを形成する。このマトリクスの各行は起こり得るＳＳＣＨ符号を表し、各列はＳＣＨフレームのスロット位置を表している。次に、ＵＭＴＳ受信機は、相関ピーク値のマトリクスから起こり得る６４個のスクランブル符号グループの各々の個別の循環シフトについて、メトリックを形成し、最も高い値を有するメトリックを識別する。ＵＭＴＳ受信機は、この最も高いメトリック値を識別した後、スクランブル符号グループとこれに対応するオフセットとを使用して、フレーム同期化を完了する。
2007521681.tif 000002
【特許請求の範囲】
【請求項１】
無線受信機に使用される方法であって、
一組Ｍ個（Ｍ＞１）の同期語の中から用いられる１つの同期語に対応するＳ個（Ｓ＞１）のシンボルを表す信号（１１１）を、一定数のタイム・スロットに亘って、受信するステップと、
前記１つの同期語を、前記Ｍ個の同期語の各々に対応するメトリック値の関数として、推定することによって、前記一定数のタイム・スロットについてフレーム同期化を実現するステップ（３１０）と、
を含む、前記方法。
【請求項２】
フレーム同期化を実現する前記ステップが、
各々が、Ｓ個のタイム・スロットのうちの１つのタイム・スロット内の受信信号とＫ個（Ｋ＞１）の受信した起こり得るシンボルのうちの各１つのシンボルとのを表すＫ個の器値を、各タイム・スロットについて、記憶するステップと、
前記記憶した器値から、前記Ｍ個の同期語の各々について、一組のメトリックを求めるステップと、
前記求めた各組のメトリックの全てのうちで最も高いメトリック値を選択するステップと、
前記選択した最も高いメトリック値から、（ａ）前記Ｍ個の同期語のうちの１つの同期語を、受信同期語の推定として、求め、（ｂ）タイム・スロット・オフセットを求めて、前記一定数のタイム・スロットについてフレーム同期化を実現するステップと、
を含む、請求項１記載の方法。
【請求項３】
前記Ｍ個の同期語の各々にはシンボルの固有のシーケンスが含まれており、また、前記Ｍ個の同期語の各々について一組のメトリックを求める前記ステップが、
同期語のＳ個の循環シフトを行うステップと、
各循環シフトについて、前記Ｓ個のタイム・スロットの各々に於けるシンボルのパターンに対応するそれぞれの器値を加算するステップと、
を含む、請求項２記載の方法。
【請求項４】
前記シンボルは、ユニバーサル移動電話システム（ＵＭＴＳ）の２次同期チャネル（ＳＳＣＨ）シンボルであり、前記Ｍ個の同期語は、６４個のスクランブル符号グループ・シーケンスである、請求項１記載の方法。
【請求項５】
フレーム同期化を実現する前記ステップが、
受信同期語から相関器ピーク値のマトリクスを形成するステップであり、前記マトリクスの各行が、複数の受信した起こり得るＳＳＣＨシンボルの１つと対応しており、前記マトリクスの各列が、前記一定数のタイム・スロットの１つと対応しており、前記相関器ピーク値の各々が、対応するタイム・スロット内のＳ個の受信シンボルのそれぞれの１つと複数の受信した起こり得るＳＳＣＨシンボルのそれぞれの１つとの相関を表している、前記マトリクス形成ステップと、
前記相関器ピーク値のマトリクスから、６４個のスクランブル符号グループの各々の各循環シフトについてのメトリック値を形成するステップと、
最も高いメトリック値を識別するステップと、
前記識別した最も高いメトリック値から、（ａ）前記６４個のスクランブル符号グループ・シーケンスのうちの１つを受信同期語の推定として特定し、（ｂ）前記一定数のタイム・スロットについてフレーム同期化を実現するのに使用される対応循環シフトを特定するステップと、
を含む、請求項４記載の方法。
【請求項６】
メトリック値を形成する前記ステップが、
メトリック・マトリクスを形成するステップであり、前記メトリック・マトリクスの各行が、前記６４個のスクランブル符号グループの１つと対応しており、前記メトリック・マトリクスの各列が１つの循環シフトと対応している、前記メトリック・マトリクス形成ステップと、
個々のスクランブル符号グループの個別の循環シフトに関連した各対応する相関器ピーク値を加算することによって、各メトリック値を求めるステップと、
を含む、請求項５記載の方法。
【請求項７】
ユニバーサル移動電話システム（ＵＭＴＳ）受信機に使用される方法であって、
ＵＭＴＳ送信機から送信された２次同期チャネル（ＳＳＣＨ）を表す信号を受信するステップであり、前記ＳＳＣＨが、前記ＵＭＴＳ送信機に対応するスクランブル符号グループに対応するＳ個のＳＳＣＨシンボルのシーケンスを、Ｓ個のタイム・スロットに亘って、伝送し、前記対応するスクランブル符号グループが一組６４個のスクランブル符号グループの中から採用される、前記信号受信ステップと、
Ｋ個（Ｋ＞１）のＳＳＣＨシンボルの各々が前記Ｓ個のタイム・スロットの各々に於いて受信された確率を表すデータを記憶するステップと、
前記６４個のスクランブル符号グループの個々のスクランブル符号グループの個別の循環シフトが受信された確率を表す各メトリック値を、前記記憶されたデータから、求めるステップと、
最も高いメトリック値を識別するステップと、
前記最も高いメトリック値から、（ａ）それに対応するスクランブル符号グループを、前記ＵＭＴＳ送信機のスクランブル符号グループとして、特定し、（ｂ）前記最も高いメトリック値に対応する循環シフトからタイム・スロット・オフセットを特定することによって、前記Ｓ個のタイム・スロットについてフレーム同期化を実現するステップと、
を含む、前記方法。
【請求項８】
データを記憶する前記ステップが、
前記Ｋ個のＳＳＣＨシンボルの各々と前記Ｓ個のタイム・スロットの各々に於ける受信信号との相関をとり、Ｋ個の対応する相関器値を供給するステップと、
前記Ｓ個のタイム・スロットに関連した前記Ｋ個の対応する相関器値を記憶するステップと、
を含む、請求項７記載の方法。
【請求項９】
ユニバーサル移動電話システム（ＵＭＴＳ）装置であって、
ＵＭＴＳ送信機から送信された２次同期チャネル（ＳＳＣＨ）を表す無線信号を受信してサンプルのストリームを供給するフロントエンド（１０５）であり、前記ＳＳＣＨが、前記ＵＭＴＳ送信機に対応するスクランブル符号グループに対応するＳ個のＳＳＣＨシンボルのシーケンスを、Ｓ個のタイム・スロットに亘って、伝送し、前記対応するスクランブル符号グループが一組６４個のスクランブル符号グループの中から採用される、前記フロントエンド（１０５）と、
Ｋ個（Ｋ＞１）のＳＳＣＨシンボルの各々が前記Ｓ個のタイム・スロットの各々に於いて受信された確率を表すデータを記憶するメモリ（２３０）と、
（ａ）前記６４個のスクランブル符号グループの個々のスクランブル符号グループの個別の循環シフトが受信された確率を表す各メトリック値を、前記記憶されたデータから、求め、（ｂ）最も高いメトリック値を識別し、（ｃ）前記最も高いメトリック値から、（１）それに対応するスクランブル符号グループを、前記ＵＭＴＳ送信機のスクランブル符号グループとして、特定し、（２）前記最も高いメトリック値に対応する循環シフトからタイム・スロット・オフセットを特定することによって、前記Ｓ個のタイム・スロットについてフレーム同期化を実現するプロセッサ（１３５）と、
を含む、前記ＵＭＴＳ装置。  
【請求項１０】
確率を表す前記データが相関器値であり、（ａ）前記Ｋ個のＳＳＣＨシンボルの各々と前記Ｓ個のタイム・スロットの各々に対応する各サンプルとの相関をとってＫ個の対応する相関器値を供給し、（ｂ）前記Ｓ個のタイム・スロットの各々に関連した前記Ｋ個の対応する相関器値を前記メモリに記憶する相関器のバンクを更に含む、請求項９記載のＵＭＴＳ装置。
【請求項１１】
前記プロセッサが、前記Ｓ個のタイム・スロットの各々に於けるシンボルのパターンに対応する各相関器値を加算することによって、個々のスクランブル符号グループの個別の循環シフトのメトリック値を求める、請求項１０記載のＵＭＴＳ装置。
【請求項１２】
無線受信機に使用される装置であって、
各々のフレームが、無線信号の供給源にアプリオリ（ａ  ｐｒｉｏｒｉ）に対応するシンボル・シーケンスを、一定数のタイム・スロットに亘って、伝送する複数フレームのシーケンスを表す無線信号を受信して、サンプルのストリームを供給するフロントエンド（１０５）と、
メトリック値のテーブルを記憶するメモリ（１４０）であり、前記テーブルの各行が、Ｍ個（Ｍ＞１）の同期シンボル・シーケンスの１つと対応しており、前記テーブルの各列が、前記Ｍ個のシーケンスの循環シフトに対応している、前記メモリ（１４０）と、
（ａ）前記メトリック値のテーブルに記憶された最も高いメトリック値を識別し、（ｂ）前記識別された最も高いメトリック値から（１）前記Ｍ個の同期シンボル・シーケンスの１つを、受信シンボル・シーケンスの推定として、特定し、（２）対応する循環シフトを特定することによって、受信無線信号についてフレーム同期化を実現するプロセッサ（１３５）と、
を含む、前記装置。
【請求項１３】
相関値のテーブルを記憶するメモリ（２３０）であり、前記テーブルの各行が、複数の受信した起こり得るシンボルの１つに対応しており、前記テーブルの各列が前記一定数のタイム・スロットの１つと対応している前記メモリ（２３０）を更に含み、前記相関値の各々が、対応するタイム・スロットに於ける各サンプルと前記複数の受信した起こり得るシンボルのうちのそれぞれの１つとの相関を表し、前記メトリック値のテーブルが前記相関値のテーブルから得られる、請求項１２記載の装置。
【請求項１４】
前記プロセッサが、前記Ｓ個のタイム・スロットの各々に於けるシンボルのパターンに対応する各相関値を加算することによって、前記Ｍ個のシーケンスの各々の個別の循環シフトのメトリック値を求める、請求項１３記載の装置。
【発明の詳細な説明】
【技術分野】
【０００１】
この発明は、一般に無線受信装置に関し、詳しくは、例えばユニバーサル移動電話システム（Ｕｎｉｖｅｒｓａｌ  Ｍｏｂｉｌｅ  Ｔｅｌｅｐｈｏｎｅ  Ｓｙｓｔｅｍ：ＵＭＴＳ）のような拡散スペクトルに基づく無線システムに於けるＵＥ（Ｕｓｅｒ  Ｅｑｕｉｐｍｅｎｔ：ユーザ装置）に関する。
【背景技術】
【０００２】
ＵＭＴＳ無線信号に於ける基本時間単位は、１０ミリ秒（ｍｓ）の無線フレームであり、その１フレームは１５スロットに分割され、その１スロットは２５６０チップの長さである。セル（即ち、基地局）からＵＭＴＳ受信機へのＵＭＴＳ無線信号は「ダウンリンク信号」と呼ばれ、逆向きの無線信号は「アップリンク信号」と呼ばれている。ＵＭＴＳ受信機は、先ず電源投入されると、通信すべきセルを探す「セル・サーチ」を行う。詳細に述べると、ＵＭＴＳ受信機は、後述の如く、先ず、セルから送信されたダウンリンク同期チャネル（Ｓｙｎｃｈｒｏｎｉｚａｔｉｏｎ  ＣＨａｎｎｅｌ：ＳＣＨ）を探し、そのセルにスロット・レベルおよびフレーム・レベルで同期して、そのセルの固有のスクランブル符号グループを特定する。このセル・サーチが成功して初めて、音声／データ通信が開始可能になる。
【０００３】
セル・サーチに関して、ＳＣＨ（Ｓｙｎｃｈｒｏｎｉｚａｔｉｏｎ  ＣＨａｎｎｅｌ：同期チャネル）は、各スロットの最初の２５６チップ期間のみにアクティブである疎らなダウンリンク・チャネルである。ＳＣＨは、２つのサブチャネル、即ち、１次ＳＣＨ（Ｐｒｉｍａｒｙ  ＳＣＨ：ＰＳＣＨ）と２次ＳＣＨ（Ｓｅｃｏｎｄａｒｙ  ＳＣＨ：ＳＳＣＨ）とから構成されている。ＰＳＣＨの２５６チップのシーケンス、即ち、ＰＳＣＨ符号は、全てのセルについて、ＳＣＨの全てのスロットに於いて同一である。これとは対照的に、ＳＳＣＨの２５６チップのシーケンス、即ち、ＳＳＣＨ符号は、無線フレームの１５スロットのそれぞれで異なり、起こり得る６４個のスクランブル符号グループの１つを識別するのに使用される。言い換えると、ＳＣＨの各無線フレームは、それぞれの送信セルに対応するスクランブル符号グループ・シーケンスを繰り返している。各ＳＳＣＨ符号は、起こり得る１６個のＳＳＣＨ符号から成る一符号体系から用いられる。
【０００４】
ＵＭＴＳ受信機は、セル・サーチの一部として、先ず、ＰＳＣＨによってスロット同期化を実現する。これに関して、ＵＭＴＳ受信機は、受信ＰＳＣＨの各受信サンプルと既知のＰＳＣＨの２５６チップのシーケンス（これは全てのスロットについて同一）との相関をとり、相関ピークの位置に基づいてスロット基準時間を求める。一旦このスロット基準時間を求めると、ＵＭＴＳ受信機は、スロット同期化されて、各スロットが受信無線フレーム内でいつ開始するかを特定できる。
【０００５】
スロット同期化の後、ＵＭＴＳ受信機は、ＰＳＣＨの処理を止めて、ＳＳＣＨの処理を開始する。前述の如く、ＳＳＣＨチャネルは、送信セルに対応するスクランブル符号グループ・シーケンスを繰り返す。従って、ＵＭＴＳ受信機は、フレーム同期化を実現するには、先ず、起こり得る６４個のスクランブル符号グループのうちのどれが受信されているかを特定して、次に、ＵＭＴＳ受信機が推定したフレーム開始と実際のフレーム開始とのオフセット（ｏｆｆｓｅｔ：異差）に於けるスロットの数を求める必要がある。一般的な方法は、硬判定（ハード・ディシジョン：ｈａｒｄ  ｄｅｃｉｓｉｏｎ）技術を用いる。例えば、各スロットに於いて、受信信号と上記符号体系の１６個のＳＳＣＨ符号との相関がとられる。最も強い相関を持ったＳＳＣＨ符号が、そのスロットについての受信ＳＳＣＨ符号の推定として使用される。この結果得られた１５個のスロットに亘る１５個のＳＳＣＨ符号の推定が、起こり得る６４個の全てのスクランブル符号グループの起こり得る１５個の全てのシフト（ｓｈｉｆｔ）と比較されて、受信スクランブル符号グループが識別され、且つ、フレーム・オフセットが特定される。（ＵＭＴＳでは、各スクランブル符号グループ・シーケンスは、それぞれの循環シフト（ｃｙｃｌｉｃ  ｓｈｉｆｔ）が固有である、即ち、どのスクランブル符号グループ・シーケンスの循環シフトも、他のどのスクランブル符号グループ・シーケンスの循環シフトと等量でないと、アプリオリ（ａ  ｐｒｉｏｒｉ）に、定義されている。）スクランブル符号グループの識別によって、ＵＭＴＳ受信機は、セルのその他のダウンリンク・チャネル（例えば、共通パイロット・チャネル（Ｃｏｍｍｏｎ  Ｐｉｌｏｔ  Ｃｈａｎｎｅｌ  （ＣＰＩＣＨ）等）の全てを逆スクランブル（ｄｅｓｃｒａｍｂｌｅ）して、音声／データ通信を始めることが出来る。
【０００６】
残念ながら、セル・サーチ処理の上述のＳＳＣＨ部分は、最も時間を消費する部分である。詳細に述べると、ＵＭＴＳシステム稼動時での信号対雑音比が低いので、ＵＭＴＳ受信機は、セルからの１５個のＳＳＣＨ符号の送信シーケンスを良好に推定するために、所定数の、例えば、１０から２０個の受信無線フレームを処理する必要がある。従って、各無線フレームの長さが１０ｍｓであるから、ユーザは、音声／データ通信が開始可能になるまでに、少なくとも１００から２００ｍｓ程度の遅延を感じることがある。
【発明の開示】
【０００７】
（発明の概要）
上述の如く、ＵＭＴＳ受信機は、所定数の受信無線フレームを処理することによって、セル・サーチのＳＳＣＨ部分を行う。しかし、個々のスロットに於ける受信ＳＳＣＨ符号を特定する硬判定（ハード・ディシジョン）技術を使用すると、厳しいチャネル条件下で、パフォーマンスが低下すること、更に、この低下の原因が、一旦個々のスロットに於いてどのＳＳＣＨ符号が受信されたかについての判定が行われると、そのスロットについて、その他の受信した起こり得るＳＳＣＨ符号に関する情報が破棄されるためであることが判った。例えば、硬判定技術は、最も大きい相関ピークに対応するＳＳＣＨ符号を選択する。従って、仮に、受信信号を起こり得る１６個のＳＳＣＨ符号の１つと比較する際の最も大きい相関ピークの値が１０２５であり、その次に大きい相関ピーク（および、正しいＳＳＣＨ符号に対応するかもしれない相関ピーク）の値が１０２０であるとすると、その次に大きい相関ピーク（および正しいＳＳＣＨ符号）に関する、その後の情報が破棄される。従って、状況によっては（特に、厳しいチャネル条件下で動作しているとき）、誤ったＳＳＣＨ符号が、無線受信機に受信されている際に、識別されてしまう。
【０００８】
従って、本発明の原理に従えば、無線受信機は、複数の符号語、即ち、シンボルから成る同期語を一定数のタイム・スロットに亘って受信する。この際、Ｓ個（Ｓ＞１）のシンボルが、一組Ｍ個（Ｍ＞１）の同期語の中から採用された１つの同期語に対応している。更に、無線受信機は、上記１つの同期語を、Ｍ個の同期語の各々に対応するメトリック値の関数として、推定することによって、上記一定数のタイム・スロットについてフレーム同期化を実現する。
【０００９】
本発明の一実施形態に従えば、ＵＭＴＳ受信機は、ＵＭＴＳのＵＥ（ｕｓｅｒ  ｅｑｕｉｐｍｅｎｔ：ユーザ装置）の一部であり、プロセッサとそれに対応するメモリとを内蔵している。プロセッサは、先ず、ＰＳＣＨによってスロット同期化を行う。スロット同期化を実現した後、プロセッサは、上記対応するメモリ内で、少なくとも１つの受信フレームから相関ピーク値のマトリクスを形成することによって、フレーム同期化を実現する。このマトリクスの各行は、起こり得るＳＳＣＨ符号を表しており、各列は、ＳＣＨフレームのスロット位置を表している。次に、プロセッサは、相関ピーク値のマトリクスから、起こり得る６４個のスクランブル符号グループの各々の個別の循環シフトについて、メトリックを形成し、最も高いメトリック値を有するメトリックを識別する。この最も高いメトリック値を識別した後、プロセッサは、スクランブル符号グループとそれに対応するオフセットとを用いて、フレーム同期化を完了する。
【００１０】
本発明の別の一実施形態に従えば、ＵＭＴＳ受信機は、軟判定（ソフト・ディシジョン：ｓｏｆｔ  ｄｅｃｉｓｉｏｎ）方法に従って、フレーム同期化を行う。一実施例として、ＵＭＴＳ受信機は、先ず、少なくとも１つの受信フレームから相関ピーク値のマトリクスを形成する。このマトリクスの各行は、起こり得るＳＳＣＨ符号を表しており、各列は、ＳＣＨフレームのスロット位置を表している。次に、ＵＭＴＳ受信機は、相関ピーク値のマトリクスから、起こり得る６４個のスクランブル符号グループの各々の個別の循環シフトについて、メトリックを形成し、最も高い値を有するメトリックを識別する。この最も高いメトリック値を識別した後、ＵＭＴＳ受信機は、スクランブル符号グループとそれに対応するオフセットとを用いて、フレーム同期化を完了する。
【発明を実施するための最良の形態】
【００１１】
本発明の概念を除き、各図に示す各要素は、周知であり、その詳細な説明は省略する。また、ＵＭＴＳに基づく無線通信システムは精通されているものと仮定し、その詳細な説明も省略する。例えば、本発明の概念を除き、拡散スペクトルの送受信、セル（基地局）、ＵＥ（ユーザ装置）、ダウンリンク・チャネル、アップリンク・チャネル、および、ＲＡＫＥ受信装置は、周知であり、それらの説明は省略する。更に、本発明の概念は従来のプログラミング技術を用いて実施可能であるが、その従来のプログラミング技術の説明も省略する。また、各図に於ける同一の番号は、同様の要素を表している。
【００１２】
図１には、本発明の原理に従うＵＭＴＳ無線通信システム１０の一部が例示されている。セル（即ち、基地局）１５は、前述のＰＳＣＨとＳＳＣＨのサブチャネルを含むダウンリンク同期チャネル（ＳＣＨ）信号１６をブロードキャストしている。前述の如く、ＳＣＨ信号１６は、音声／データ通信の前提条件として同期をとるために、ＵＭＴＳのＵＥにより使用される。例えば、ＵＥは、「セル・サーチ」動作期間に、ＳＣＨ信号を処理する。この例では、ＵＥ２０、例えば、携帯電話（ｃｅｌｌｕｌａｒ  ｐｈｏｎｅ）は、例えば、その電源投入時に、セル・サーチを開始する。セル・サーチ動作の目的には、（ａ）セル（例えば、セル１５）のスクランブル符号グループの特定と、（ｂ）ＵＭＴＳ無線フレームのスロットおよびフレームのレベルでのセル送信に対する同期化とが含まれる。本発明の原理に従えば、ＵＥ２０は、後述の如く、軟判定技術によってスクランブル符号グループを特定して、フレーム同期化を実現する。尚、以下、本発明の概念を、この初期のセル・サーチの事例、即ち、ＵＥ２０が電源投入された時のセル・サーチに基づいた例として、説明するが、本発明の概念は、これに限定されるものではなく、その他のセル・サーチの事例、例えば、ＵＥが「アイドル・モード」に在る時等にも適用できる。
【００１３】
図２には、本発明の原理に従うＵＥ２０の一部のブロック図が例示されている。ＵＥ２０には、フロントエンド１０５、アナログ／デジタル（Ａ／Ｄ）変換器１０、セル・サーチ部１１５、サーチャー部１２０、ＲＡＫＥ受信装置１２５、ホスト・インタフェース・ブロック１３０、および、プロセッサ１３５が含まれている。尚、本発明の概念の他に、図２に示す各ブロック内には、当業者に周知のその他の要素が含まれることもあるが、それらについては、簡潔さの観点から、説明を省略する。例えば、Ａ／Ｄ変換器１１０には、デジタル・フィルタ、バッファ等が含まれていてもよい。
【００１４】
フロントエンド１０５は、セル１５（図１）から送信された無線周波数（ＲＦ）信号１０１を、アンテナ（図示せず）を介して、受信し、ＰＳＣＨとＳＳＣＨのサブチャネルを表すベースバンド・アナログ信号１０６を出力する。Ａ／Ｄ変換器１１０は、このベースバンド・アナログ信号１０６をサンプリングして、受信サンプル１１１のストリームを出力する。この受信サンプル１１１は、３つの構成部分、即ち、セル・サーチ部１１５、サーチャー部１２０およびＲＡＫＥ受信装置１２５に供給可能である。セル・サーチ部１１５は、後述の如く、本発明の原理に従って、ＰＳＣＨとＳＳＣＨのサブチャネルを処理する。セル・サーチが成功すると次に、サーチャー部１２０が、受信サンプルの数値を求めて、マルチパスをＲＡＫＥ受信装置１２５の各フィンガに割り当てる。ＲＡＫＥ受信装置１２５は、例えば、複数伝送経路からのデータを組み合わせて、各シンボルを出力する。次に、この各シンボルは、復号器（図示せず）によって復号化されて、音声／データ通信が行われる。セル・サーチ部１１５のみが本発明の概念に関係するので、サーチャー部１２０およびＲＡＫＥ受信装置１２５については、これ以上の説明は省略する。ホスト・インタフェース・ブロック１３０は、上述の３つの構成部分とプロセッサ１３５との間で、データをやり取りし、プロセッサ１３５は、この例では、セル・サーチ部１１５の処理結果を信号経路１３４を介して受信する。プロセッサ１３５は、この例では、記憶されたプログラムで制御されるプロセッサ、例えば、マイクロプロセッサであり、プログラムおよびデータを記憶するメモリ１４０を備えている。
【００１５】
図３には、セル・サーチ部１１５のブロック図が例示されている。セル・サーチ部１１５には、ＰＳＣＨ部２０５とＳＳＣＨ部２１０とが含まれている。また、図４には、図３のセル・サーチ部１１５が、本発明の原理に従って、ダウンリンクのＰＳＣＨとＳＳＣＨのサブチャネルを処理する行程を表すフローチャートの例が示されている。ＵＥ２０のプロセッサ１３５は、セル・サーチを開始して、ステップ３０５に於いて、ダウンリンクＰＳＣＨサブチャネルを処理することによってスロット同期化の実現を試みる。詳細に述べると、プロセッサ１３５は、信号経路２０６を介して、ＰＳＣＨ部２０５を起動して、当業者に周知の如く、受信サンプル１１１を処理させる。例えば、ダウンリンクＰＳＣＨサブチャネルは、周期的に生じる（即ち、ダウンリンクＳＣＨ信号の各スロットで繰り返す）既知のＰＳＣＨ２５６チップ・シーケンス、即ち、ＰＳＣＨ符号であるので、ＰＳＣＨ部２０５は、受信サンプル１１１とＰＳＣＨ符号との相関をとり、対応するピーク相関値を出力する。この点に関して、ＰＳＣＨ部２０５には、整合フィルタ（図示せず）と、この整合フィルタの出力信号を記憶するバッファ（図示せず）とが含まれている。ＰＳＣＨ部２０５は、信号経路２０６を介して、ピーク相関値をプロセッサ１３５に供給する。このピーク相関値は、受信無線フレームの数スロット、例えば、４から２０スロットに亘って、平均化して、「誤ロック（ｆａｌｓｅ  ｌｏｃｋ）」の可能性を低減してもよい。（ＰＳＣＨ同期化は、数フレームではなく数スロットを使用するので、前述の従来技術のＳＳＣＨフレーム同期化に比べて、格段に速い。）若しピーク相関値が既定の閾値以下である場合、プロセッサ１３５は、ＰＳＣＨ部２０５を制御して、受信信号の処理を継続させて、セルの探索を継続させる。一方、ピーク相関値が既定の閾値より大きい場合、ＵＥ２０は、スロット同期化を完了する。別の方法では、ピーク相関値が、最も高い相関値の次に高い相関値を、既定の加法的または乗法的な係数分だけ、超えた時に、スロット同期化が完了したと見なすことが出来る。
【００１６】
ステップ３０５に於いてスロット同期化が実現されると、ＵＥ２０は、６４個のスクランブル符号グループのうちのどれがセル１５によって使用されているかを特定する必要がある。この際、各スクランブル符号グループは、１５個のＳＳＣＨ符号の固有シーケンスにより識別される。ここでは、６４個のスクランブル符号グループで、スクランブル符号グループの一組が形成されている。１個のスクランブル符号グループを形成する際、ＳＳＣＨ符号、即ち、ＳＳＣＨシンボルの各々は、例えば１から１６までの一符号体系の１６個のシンボルから用いられる。従って、１つのスクランブル符号グループ例には、例えばグループ１には、次の１５個のＳＳＣＨシンボルが含まれることがある。
［１、１、２、８、９、１０、１５、８、１０、１６、２、７、１５、７、１６］
一方、別の１つのスクランブル符号グループ例には、例えばグループ２には、次の１５個のＳＳＣＨシンボルが含まれることがある。
［１、１、５、１６、７、３、１４、１６、３、１０、５、１２、１４、１２、１０］
【００１７】
本発明の原理に従って、プロセッサ１３５は、図４のステップ３１０に於いて、軟判定に基づく技術に応じて、スクランブル符号グループを特定して、フレーム同期化を実現する。詳細に述べると、プロセッサ１３５は、後述の如く、スクランブル符号グループの各々について、1つのメトリック（ｍｅｔｒｉｃ）組を形成する。ここで、メトリック組の各々には、複数のメトリック値が含まれており、そのメトリック値の各々は、それぞれのスクランブル符号グループの個別の循環シフトと対応している。次に、プロセッサ１３５は、全てのメトリック組から最も大きいメトリック値を選択する。この最も大きい値が選択された特定のメトリック組によって、スクランブル符号グループと選択されたメトリック値に対応する循環シフトとが識別され、フレーム・オフセットが特定されて、フレーム同期化が実現される。尚、説明を簡潔にするために、フローチャートには、エラー条件を示していない。例えば、万が一、ＵＥ２０がフレーム同期化を試みている間にスロット同期を失った場合、上述のセル・サーチは、残念ながら、最初からやり直される。
【００１８】
図５には、本発明の１つ特徴に従うＳＳＣＨ部２１０の構成例が示されている。ＳＳＣＨ部２１０には、Ｋ個の相関器、即ち、相関器２２０−１から２２０−Ｋを含む相関器バンク２２０と、メモリ２３０とが含まれている。各相関器は、１つのタイム・スロット内の各受信サンプル１１１と、一定数の符号語（ｃｏｄｅｗｏｒｄ）Ｃ１からＣＫのそれぞれとの相関をとる。従って、相関器バンク２２０は、タイム・スロット毎にＫ個の相関器値をメモリ２３０に供給する。メモリ２３０は、Ｓ個の受信タイム・スロットに亘って、相関器値を記憶する。即ち、メモリ２３０は、Ｓ×Ｋ個の相関器値を記憶する。尚、その他のメモリ、例えば、メモリ１４０によって、これらの相関器値を記憶してもよい。例えば、この例では、符号語はＳＳＣＨ符号であり、Ｋ＝１６であり、即ち、ＳＳＣＨ符号の起こり得る値の各々について１つの相関器が設けられており、また、Ｓ＝１５であり、メモリ２３０は１フレーム分の相関器値、即ち、２４０個の値を記憶する。１フレームに亘るメモリ２３０への相関器値の記憶例は、図６に示すように、相関器値のマトリクス、或いは、テーブル２１２として編成できる。説明を簡潔にするため、図６には、マトリクス２１２の形態のみを示す。即ち、マトリクス２１２の各個別セルに於いて、実際の相関器ピーク値を示していない。マトリクス２１２の各行は１６個のＳＳＣＨ符号、即ち、ＳＳＣＨ１からＳＳＣＨ１６の１つに対応しており、マトリクス２１２の各列は、１５個のタイム・スロット、即ち、スロット１からスロット１５の１つに対応している。換言すれば、マトリクス２１２の各列は各相関器値を記憶し、更に、その各相関器値は、ＳＳＣＨ符号のうちの特定の１つがそのタイム・スロット内で受信された確率、或いは、信頼度（ｃｏｎｆｉｄｅｎｃｅ）の指標を、実質上、表している。例えば、仮に、ＳＳＣＨ符号１が、あるタイム・スロットについて、１０００の相関ピークを持ち、ＳＳＣＨ符号２が、その同じタイム・スロットについて、５００に過ぎない相関ピークを持っているとすると、そのタイム・スロットではＳＳＣＨ符号２ではなくＳＳＣＨ符号１が送信された信頼度は格段に高いことになる。従って、本発明の１つの特徴に従えば、相関器値のマトリクスは、少なくとも１フレームに亘って受信した起こり得るＳＳＣＨ符号の全てに関する情報を収集して保持し、従って、後述の如く、この相関器値マトリクスによって、厳しいチャネル条件下で動作している時にＳＳＣＨチャネルを取得する機能が改善される。
【００１９】
図７には、図４のステップ３１０を実施する際に使用され、本発明の原理に従うフローチャート例が示されている。詳細に述べると、ステップ３５０に於いて、ＳＳＣＨ部２１０は、少なくとも１フレーム即ち１５タイム・スロットに亘って、受信した起こり得るＳＳＣＨ符号の各々について、複数の相関値を前述の相関器値マトリクス２１２に記憶する。（尚、複数フレーム分の相関データが相関器値マトリクスに蓄積され保存されるようにしてもよい。）ステップ３５５に於いて、プロセッサ１３５は、図３の信号経路２１１を介して、メモリ２３０にアクセスして、相関器値マトリクス２１２に記憶された各値を使用して、メトリック値のテーブル、即ち、マトリクス（メトリック・マトリクス）を求める。これに関して、図８には、メトリック・マトリクス２１３が例示されている。この図８についても、説明を簡潔にするため、マトリクス２１３の構造のみが示され、即ち、マトリクス２１３の各個別セルには、実際のメトリック値は示されていない。メトリック・マトリクス２１３の各行は、既定のスクランブル符号グループの１つと対応しており、メトリック・マトリクス２１３の各列は、スクランブル符号グループの個別の循環シフトに対応している。図８から判るように、メトリック・マトリクス２１３内の各項は、メトリック値を、個々のスクランブル符号グループの個別の循環シフトに対応付けている。従って、メトリック・マトリクス２１３の各行、即ち、各スクランブル符号グループは、１つのメトリック組と対応しており、この１つのメトリック組には、例えばグループ６４について図８に示されているようなスクランブル符号グループの相異なる循環シフトに対応した複数のメトリック値が含まれている。プロセッサ１３５は、所与のスクランブル符号グループの所与のシフトについて、そのシーケンスについての各信頼度値の合計（ｓｕｍ）として、各メトリック値を求める。プロセッサ１３５は、メトリック・マトリクスを求めた後、ステップ３６０に於いて、そのメトリック・マトリクス内で最も高いメトリック値を選択する。各メトリック値は、個々のスクランブル符号グループの個別の循環シフトに対応しているので、プロセッサ１３５は、ステップ３６５に於いて、上記最も高いメトリック値に対応するスクランブル符号グループ（即ち、対応している行）を選択し、ステップ３７０に於いて、上記最も高いメトリック値に対応するスロット・オフセット（即ち、対応する列）を求めて、フレーム同期化を完了する。
【００２０】
更なる実例の説明として、次の単純化された例を検討する。１つのＳＳＣＨ符号体系が４個の符号、即ち、シンボル｛１、２、３、４｝から成り、各１フレーム内のタイム・スロットの数が２と仮定する。更に、各スクランブル符号グループが次のように既定されていると仮定する。グループ１＝［１，４］、グループ２＝［１，２］、グループ３＝［３，１］、および、グループ４＝［２，３］。例えば、この仮定から、グループ１は、ＳＳＣＨシンボル・シーケンス１、４と定義される。
【００２１】
従って、ＳＳＣＨ部２１０には４つの相関器が含まれていることになり、各相関器は、それぞれ、各タイム・スロット内の各受信サンプル１１１を、起こり得る４個のシンボル｛１、２、３、４｝と比較する。図７のステップ３５０に従って、ＳＳＣＨ部２１０は、相関器値マトリクス内に、２つのタイム・スロットのそれぞれに於いて受信された起こり得るＳＳＣＨ符号の各々について、複数の相関ピーク値を記憶する。図９には、特定の２つのタイム・スロットについての相関器値のマトリクスが例示されている。図９に示されているように、例えば、シンボル１の場合、２の相関器値は、シンボル１が第１タイム・スロット内で受信された可能性に対応しており、７の相関器値は、シンボル１が第２タイム・スロット内で受信された可能性に対応している。次に、図７のステップ３５５に従って、プロセッサ１３５は、各スクランブル符号グループについて、図１０に示されているようなメトリック・マトリクス（ｍｅｔｒｉｃ  ｍａｔｒｉｘ）を形成する。例えば、グループ１の場合、プロセッサ１３５は、先ず、０の循環シフトに対応するメトリックを求める。この処理は、次のように行われる。即ち、相関器値マトリクスを参照して、第１タイム・スロット内のシンボル１に対応する相関器値（２の値）と、第２タイム・スロット内のシンボル４に対応する相関器値（６の値）とを加算して、８のメトリック値を得る。更に、この演算を図１１に示す。次に、プロセッサ１３５は、同様にして、残りのメトリック値を求める。例えば、グループ１の場合、１の循環シフトに対応するメトリック、即ち、受信シーケンスが実際［４，１］である可能性は、１０に等しい。
【００２２】
この例を続けて説明する。図７に戻ると、メトリック・マトリクスが求められた後、プロセッサ１３５は、ステップ３６０に於いて、メトリック・マトリクス内の最も高いメトリック値を選択する。これは、本例に於いて、３３の値である。図１０から判るように、この３３の値は、グループ４に対応する行と、０のシフトに対応する列とに対応している。従って、プロセッサ１３５は、ステップ３６５に於いてスクランブル符号グループとしてグループ４を選択し、ステップ３７０に於いて、０のシフトがフレーム同期化に必要であることを特定する。
【００２３】
ステップ３７０に於いてＳＳＣＨ処理が首尾よく完了すると、セル１５のスクランブル符号グループが識別されることによって、ＵＥ２０は、当該セルのその他のダウンリンク・チャネル（例えば、周波数同期化に使用され、また、識別されたスクランブル符号グループから当該セルについての実際のスクランブル符号を特定できる共通パイロット・チャネル（ＣＰＩＣＨ）等を含む）の全てを逆スクランブルでき、音声／データ通信が開始可能になる。
【００２４】
図１２には、本発明の原理に従う擬似符号の実施例が示されている。この図１２の擬似符号に於いて、ｒｘ＿ｄａｔａなる表記は所与のスロットについての２５６個の受信サンプル、ＳＳＣ［ｉ，ｊ］はｉ番目のＳＳＣＨ符号内のｊ番目のサンプル、ｇｒｏｕｐ＿ｓｅｑは起こり得る全６４個のスクランブル符号グループ・シーケンスのマトリクス・ルック・アップ・テーブル、ｇｒｏｕｐは識別された送信符号グループ、および、ｏｆｆｓｅｔはフレーム・スロット・オフセットである。
【００２５】
図１３および１４には、本発明の原理に従うＵＭＴＳ受信機についてのシミュレーション結果が例示されている。図１３には、ノイズが無い場合についてのシミュレーション結果が示されている。図１３に於いて、各値は、メトリック・マトリクスの各メトリック値を表している。大きいピーク４０１は、最も大きいメトリック値を表しており、正しいグループとオフセットである０のオフセットを有するスクランブル符号グループ番号１０を識別している。これとは対照的に、図１４には、信号対雑音比が非常に低い場合についてのシミュレーション結果が示されている。この図１４に於いても、各値は、メトリック・マトリクスの各メトリック値を表している。大きいピーク４０２は、最も大きいメトリック値を表しており、これも、正しいグループとオフセットである０のオフセットを有するスクランブル符号グループ番号１０を識別している。図１４の各メトリックは雑音を伴っているように見えるけれども、最も高いピーク４０２は、実際、この次に高いピークよりも１１％高い。尚、図１４に例示されているのと同じシミュレーションの場合、一般的な硬判定アルゴリズムでは上手くいかず、誤って１のオフセットを有するグループ２を識別した。従って、上述の軟判定（ソフト・ディシジョン）に基づく技術は、硬判定（ハード・ディシジョン）に基づく方法とは違って、受信した起こり得るＳＳＣＨ符号についての情報、即ち、データを破棄することがないため、本発明の概念に従う軟判定方法は、厳しいチャネル条件下でも良好な性能を実現できる。
【００２６】
上述の如く、本発明の原理に従えば、無線受信機は、軟判定に基づく技術によってスクランブル符号グループを特定して、フレーム同期化を実現できる。この軟判定に基づく技術によって、ＵＭＴＳ受信機に於いて強固な２次セル・サーチを実現する方法と装置とが得られる。実際、記憶装置、即ち、メモリの増設およびスペースの拡大が必要になるけれども、無線受信機が厳しいチャネル条件下（例えば、信号対雑音比が非常に低い場合）で動作するとき、ＳＳＣＨチャネルを取得する機能が改善される。本発明の概念を、前記初期のセル・サーチ処理の事例に基づいて、説明したが、本発明の概念は、ＳＳＣＨサブチャネルのようなダウンリンク・チャネルを処理する無線処理動作の任意の部分に適用できる。
【００２７】
上述した説明は、本発明の原理を単に例示したものであり、当業者であれば、本願明細書に明示的に記載されていないが、本発明の原理を具体化し、本発明の精神から逸脱せず、且つ、本発明の範囲内に在る様々な代替構成を考案できるであろう。例えば、各機能部分は、それぞれ個別のものとして説明したが、１つ以上の集積回路（ＩＣ）上に、および／または、記憶されたプログラムで制御されるプロセッサ（例えば、マイクロプロセッサ、或いは、デジタル信号プロセッサ（ＤＳＰ））内で実施してもよい。同様に、本発明の概念は、ＵＭＴＳに基づくシステムについて説明したが、その他の通信システムにも適用できる。従って、上述の各実施形態に様々な修正を加えることが出来、更に、本願の特許請求の範囲の各請求項によって規定された本発明の精神と範囲から逸脱することなく、その他の構成を考案できるであろう。
【図面の簡単な説明】
【００２８】
【図１】図１は、本発明の原理に従う無線通信システムの例の一部を示す図である。
【図２】図２は、本発明の原理に従う無線受信機の実施例を示す図である。
【図３】図３は、本発明の原理に従う無線受信機の実施例を示す図である。
【図４】図４は、本発明の原理に従うフローチャートの例を示す図である。
【図５】図５は、本発明の原理に従う相関器の構成の実施例を示す図である。
【図６】図６は、本発明の原理に従って、相関器値を記憶するマトリクス構成の例を示す図である。
【図７】図７は、本発明の原理に従う別のフローチャートの例を示す図である。
【図８】図８は、本発明の原理に従うメトリック・マトリクスの構成例を示す図である。
【図９】図９は、図６および図８の各マトリクスを更に説明する図である。
【図１０】図１０は、図６および図８の各マトリクスを更に説明する図である。
【図１１】図１１は、図６および図８の各マトリクスを更に説明する図である。
【図１２】図１２は、本発明の原理に従う擬似符号の実施例を示す図である。
【図１３】図１３は、シミュレーション結果の例を示す図である。
【図１４】図１４は、シミュレーション結果の例を示す図である。
【図１】
2007521681.tif 000003
【図２】
2007521681.tif 000004
【図３】
2007521681.tif 000005
【図４】
2007521681.tif 000006
【図５】
2007521681.tif 000007
【図６】
2007521681.tif 000008
【図７】
2007521681.tif 000009
【図８】
2007521681.tif 000010
【図９】
2007521681.tif 000011
【図１０】
2007521681.tif 000012
【図１１】
2007521681.tif 000013
【図１２】
2007521681.tif 000014
【図１３】
2007521681.tif 000015
【図１４】
2007521681.tif 000016
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
無線受信機に使用される方法であって、
一組Ｍ個（Ｍ＞１）の同期語の中から用いられる１つの同期語に対応するＳ個（Ｓ＞１）のシンボルを表す信号を、一定数のタイム・スロットに亘って、受信するステップと、
前記１つの同期語を、前記Ｍ個の同期語の各々に対応するメトリック値の関数として、推定することによって、前記一定数のタイム・スロットについてフレーム同期化を実現するステップと、
を含む、前記方法。
【請求項２】
フレーム同期化を実現する前記ステップが、
各々が、Ｓ個のタイム・スロットのうちの１つのタイム・スロット内の受信信号とＫ個（Ｋ＞１）の受信した起こり得るシンボルのうちの各１つのシンボルとの相関を表すＫ個の相関器の値を、各タイム・スロットについて、記憶するステップと、
前記記憶した相関器の値から、前記Ｍ個の同期語の各々について、一組のメトリックを求めるステップと、
前記求めた各組のメトリックの全てのうちで最も高いメトリック値を選択するステップと、
前記選択した最も高いメトリック値から、（ａ）前記Ｍ個の同期語のうちの１つの同期語を、受信同期語の推定として、求め、（ｂ）タイム・スロット・オフセットを求めて、前記一定数のタイム・スロットについてフレーム同期化を実現するステップと、
を含む、請求項１記載の方法。
【請求項３】
前記Ｍ個の同期語の各々にはシンボルの固有のシーケンスが含まれており、また、前記Ｍ個の同期語の各々について一組のメトリックを求める前記ステップが、
同期語のＳ個の循環シフトを行うステップと、
各循環シフトについて、前記Ｓ個のタイム・スロットの各々に於けるシンボルのパターンに対応するそれぞれの相関器の値を加算するステップと、
を含む、請求項２記載の方法。
【請求項４】
前記シンボルは、ユニバーサル移動電話システム（ＵＭＴＳ）の２次同期チャネル（ＳＳＣＨ）シンボルであり、前記Ｍ個の同期語は、６４個のスクランブル符号グループ・シーケンスである、請求項１記載の方法。
【請求項５】
フレーム同期化を実現する前記ステップが、
受信同期語から相関器ピーク値のマトリクスを形成するステップであり、前記マトリクスの各行が、複数の受信した起こり得るＳＳＣＨシンボルの１つと対応しており、前記マトリクスの各列が、前記一定数のタイム・スロットの１つと対応しており、前記相関器ピーク値の各々が、対応するタイム・スロット内のＳ個の受信シンボルのそれぞれの１つと複数の受信した起こり得るＳＳＣＨシンボルのそれぞれの１つとの相関を表している、前記マトリクス形成ステップと、
前記相関器ピーク値のマトリクスから、６４個のスクランブル符号グループの各々の各循環シフトについてのメトリック値を形成するステップと、
最も高いメトリック値を識別するステップと、
前記識別した最も高いメトリック値から、（ａ）前記６４個のスクランブル符号グループ・シーケンスのうちの１つを受信同期語の推定として特定し、（ｂ）前記一定数のタイム・スロットについてフレーム同期化を実現するのに使用される対応循環シフトを特定するステップと、
を含む、請求項４記載の方法。
【請求項６】
メトリック値を形成する前記ステップが、
メトリック・マトリクスを形成するステップであり、前記メトリック・マトリクスの各行が、前記６４個のスクランブル符号グループの１つと対応しており、前記メトリック・マトリクスの各列が１つの循環シフトと対応している、前記メトリック・マトリクス形成ステップと、
個々のスクランブル符号グループの個別の循環シフトに関連した各対応する相関器ピーク値を加算することによって、各メトリック値を求めるステップと、
を含む、請求項５記載の方法。
【請求項７】
ユニバーサル移動電話システム（ＵＭＴＳ）受信機に使用される方法であって、
ＵＭＴＳ送信機から送信された２次同期チャネル（ＳＳＣＨ）を表す信号を受信するステップであり、前記ＳＳＣＨが、前記ＵＭＴＳ送信機に対応するスクランブル符号グループに対応するＳ個のＳＳＣＨシンボルのシーケンスを、Ｓ個のタイム・スロットに亘って、伝送し、前記対応するスクランブル符号グループが一組６４個のスクランブル符号グループの中から採用される、前記信号受信ステップと、
Ｋ個（Ｋ＞１）のＳＳＣＨシンボルの各々が前記Ｓ個のタイム・スロットの各々に於いて受信された確率を表すデータを記憶するステップと、
前記６４個のスクランブル符号グループの個々のスクランブル符号グループの個別の循環シフトが受信された確率を表す各メトリック値を、前記記憶されたデータから、求めるステップと、
最も高いメトリック値を識別するステップと、
前記最も高いメトリック値から、（ａ）それに対応するスクランブル符号グループを、前記ＵＭＴＳ送信機のスクランブル符号グループとして、特定し、（ｂ）前記最も高いメトリック値に対応する循環シフトからタイム・スロット・オフセットを特定することによって、前記Ｓ個のタイム・スロットについてフレーム同期化を実現するステップと、
を含む、前記方法。
【請求項８】
データを記憶する前記ステップが、
前記Ｋ個のＳＳＣＨシンボルの各々と前記Ｓ個のタイム・スロットの各々に於ける受信信号との相関をとり、Ｋ個の対応する相関器値を供給するステップと、
前記Ｓ個のタイム・スロットに関連した前記Ｋ個の対応する相関器値を記憶するステップと、
を含む、請求項７記載の方法。
【請求項９】
ユニバーサル移動電話システム（ＵＭＴＳ）装置であって、
ＵＭＴＳ送信機から送信された２次同期チャネル（ＳＳＣＨ）を表す無線信号を受信してサンプルのストリームを供給するフロントエンドであり、前記ＳＳＣＨが、前記ＵＭＴＳ送信機に対応するスクランブル符号グループに対応するＳ個のＳＳＣＨシンボルのシーケンスを、Ｓ個のタイム・スロットに亘って、伝送し、前記対応するスクランブル符号グループが一組６４個のスクランブル符号グループの中から採用される、前記フロントエンドと、
Ｋ個（Ｋ＞１）のＳＳＣＨシンボルの各々が前記Ｓ個のタイム・スロットの各々に於いて受信された確率を表すデータを記憶するメモリと、
（ａ）前記６４個のスクランブル符号グループの個々のスクランブル符号グループの個別の循環シフトが受信された確率を表す各メトリック値を、前記記憶されたデータから、求め、（ｂ）最も高いメトリック値を識別し、（ｃ）前記最も高いメトリック値から、（１）それに対応するスクランブル符号グループを、前記ＵＭＴＳ送信機のスクランブル符号グループとして、特定し、（２）前記最も高いメトリック値に対応する循環シフトからタイム・スロット・オフセットを特定することによって、前記Ｓ個のタイム・スロットについてフレーム同期化を実現するプロセッサと、
を含む、前記ＵＭＴＳ装置。  
【請求項１０】
確率を表す前記データが相関器値であり、（ａ）前記Ｋ個のＳＳＣＨシンボルの各々と前記Ｓ個のタイム・スロットの各々に対応する各サンプルとの相関をとってＫ個の対応する相関器値を供給し、（ｂ）前記Ｓ個のタイム・スロットの各々に関連した前記Ｋ個の対応する相関器値を前記メモリに記憶する相関器のバンクを更に含む、請求項９記載のＵＭＴＳ装置。
【請求項１１】
前記プロセッサが、前記Ｓ個のタイム・スロットの各々に於けるシンボルのパターンに対応する各相関器値を加算することによって、個々のスクランブル符号グループの個別の循環シフトのメトリック値を求める、請求項１０記載のＵＭＴＳ装置。
【請求項１２】
無線受信機に使用される装置であって、
各々のフレームが、無線信号の供給源にアプリオリに対応するシンボル・シーケンスを、一定数のタイム・スロットに亘って、伝送する複数フレームのシーケンスを表す無線信号を受信して、サンプルのストリームを供給するフロントエンドと、
メトリック値のテーブルを記憶するメモリであり、前記テーブルの各行が、Ｍ個（Ｍ＞１）の同期シンボル・シーケンスの１つと対応しており、前記テーブルの各列が、前記Ｍ個のシーケンスの循環シフトに対応している、前記メモリと、
（ａ）前記メトリック値のテーブルに記憶された最も高いメトリック値を識別し、（ｂ）前記識別された最も高いメトリック値から（１）前記Ｍ個の同期シンボル・シーケンスの１つを、受信シンボル・シーケンスの推定として、特定し、（２）対応する循環シフトを特定することによって、受信無線信号についてフレーム同期化を実現するプロセッサと、
を含む、前記装置。
【請求項１３】
相関値のテーブルを記憶するメモリであり、前記テーブルの各行が、複数の受信した起こり得るシンボルの１つに対応しており、前記テーブルの各列が前記一定数のタイム・スロットの１つと対応している前記メモリを更に含み、前記相関値の各々が、対応するタイム・スロットに於ける各サンプルと前記複数の受信した起こり得るシンボルのうちのそれぞれの１つとの相関を表し、前記メトリック値のテーブルが前記相関値のテーブルから得られる、請求項１２記載の装置。
【請求項１４】
前記プロセッサが、前記Ｓ個のタイム・スロットの各々に於けるシンボルのパターンに対応する各相関値を加算することによって、前記Ｍ個のシーケンスの各々の個別の循環シフトのメトリック値を求める、請求項１３記載の装置。
【国際調査報告】
2007521681.tif 000017
2007521681.tif 000018